【手続補正書】
【提出日】平成21年6月9日(2009.6.9)
【手続補正１】
【補正対象書類名】明細書
【補正対象項目名】００２０
【補正方法】変更
【補正の内容】
【００２０】
ステップＳ２０１において、「裏紙を使用する」が選択されている場合は、記録紙の後端を検知する手順（方法）を変更する処理が行われる(ステップＳ２０７)。そしてステップＳ２０２へと進む。以降の後端検知については、変更された方法で行われる。裏紙使用時の後端検知の方法としては、マスク期間を設けて、先端から検知してマスク期間経過後に後端検知を開始する方法が取られる。
【手続補正２】
【補正対象書類名】明細書
【補正対象項目名】００２１
【補正方法】変更
【補正の内容】
【００２１】
すなわち、ユーザによって「裏紙を使用する」ことが選択されていれば（ステップＳ２０１−Ｙｅｓ）、後端検知の方法を変更する（ステップＳ２０７）。次にスイッチバック部３９へと搬送を開始する(ステップＳ２０８）。後端検知に際してマスク期間を設ける場合は、まず記録紙の先端を検知し（ステップＳ２０９）、先端検知後マスクを掛け、設定されたマスク期間が終了し（ステップＳ２１０）、後端検知を検知した時点（ステップＳ２０４）でスイッチバックを開始し（ステップＳ２０５）、再給紙経路４５へ記録紙を搬送する(ステップＳ２０６)。
【手続補正３】
【補正対象書類名】明細書
【補正対象項目名】００２９
【補正方法】変更
【補正の内容】
【００２９】
（１）コントローラ１０から通知された記録紙の長さを基準とする
図５は通知された記録紙の長さに基づいてスイッチバックを実施するための処理手順を示すフローチャートである。この処理手順ではスイッチバックのタイミングを反転センサ４４が記録紙の先端を検知してから、コントローラ１０から通知された記録紙の長さに基づいて決定する。
【手続補正４】
【補正対象書類名】明細書
【補正対象項目名】００３０
【補正方法】変更
【補正の内容】
【００３０】
図４と同様に、ユーザによって「裏紙を使用する」が選択され（ステップＳ４０１）、後端検知の方法が変更され（ステップＳ４０２）、スイッチバック部３９へと搬送を開始する(ステップＳ４０３）。そして、反転センサ４４が記録紙の先端を検知したら（ステップＳ４０４）、コントローラ１０から記録紙の長さ情報を取得する（ステップＳ４０５）。次いで、コントローラ１０から通知された記録紙の長さを参照し、その長さ分搬送したときをスイッチバックタイミングとして、そのタイミングに来たときに（ステップＳ４０６）、スイッチバックを開始し（ステップＳ４０７）、再給紙経路４５へ記録紙を搬送する(ステップＳ４０８)。
【手続補正５】
【補正対象書類名】明細書
【補正対象項目名】００３２
【補正方法】変更
【補正の内容】
【００３２】
（２）上流にあるセンサのオン−オフ期間に基づく方法
図６は上流にあるセンサのオン−オフ期間に基づいてスイッチバックのタイミングを決定する場合の処理手順を示すフローチャートである。この処理手順では、スイッチバックのタイミングを、反転センサ４４が記録紙の先端を検知してから、スイッチバック部３９より上流にあるセンサ（具体的には図示していないが、本体給紙部３２から給紙を受け入れる箇所に設けられた入口センサ（給紙センサ−上述した記録紙の有無などをチェックするセンサ類２７に対応）のオン−オフ期間に基づいて決定する。
【手続補正６】
【補正対象書類名】明細書
【補正対象項目名】００３７
【補正方法】変更
【補正の内容】
【００３７】
（１）一定の搬送速度に低下させる方法
図７は図５、図６において、記録紙の先端を検知してから一定の速度低下（減速）を行って搬送する場合の処理手順を示すフローチャートである。この処理手順では、ユーザが「裏紙を使用する」を選択し（ステップＳ６０１）、後端検知の方法が変更された後（ステップＳ６０２）、記録紙のスイッチバック部３９への搬送が開始される（ステップＳ６０３）。反転センサ４４が記録紙の先端を検知すると（ステップＳ６０４）、ＭＰＵ２１はコントローラ１０から記録紙の長さ情報を取得する（ステップＳ６０５）。次いで、エンジン２０のＲＯＭ２２に格納されているエンジン制御プログラムに記述された搬送速度まで低下させ搬送する（ステップＳ６０６）。そして、スイッチバックタイミングになると（ステップＳ６０７）、スイッチバックを開始し（ステップＳ６０８）、再給紙経路４５へ記録紙を搬送する(ステップＳ６０９)。
【手続補正７】
【補正対象書類名】明細書
【補正対象項目名】００３８
【補正方法】変更
【補正の内容】
【００３８】
なお、ステップＳ６０７におけるスイッチバックタイミングは、例えば前述の上流側に設けたセンサのオン−オフタイミングと搬送速度とによって決定される。例えば記録紙の長さが２９７ｍｍと通知されており、搬送速度を２００ｍｍ／ｓｅｃから１５０ｍｍ／ｓｅｃに低下させる場合は、記録紙の先端を検知してから、図５では２９７／２００＝１．４８５秒後にスイッチバックを開始させていたのに対し、図７では２９７／１５０＝１．９８秒後にスイッチバックを開始する。
【手続補正８】
【補正対象書類名】明細書
【補正対象項目名】００３９
【補正方法】変更
【補正の内容】
【００３９】
図８は記録紙の先端を検知してから一定の速度低下を行って搬送する場合の処理手順の他の例を示すフローチャートである。この例では、ユーザが「裏紙を使用する」を選択し（ステップＳ７０１）、後端検知の方法が変更された後（ステップＳ７０２）、反転センサ４４より上流にあるフィラー型あるいは光透過型のセンサ（図示しない）のオン−オフタイミングから、先端を検知してから後端を検知するまでのタイミングを検出する（ステップＳ７０３）。そして、スイッチバック部３９へ記録紙の搬送を開始する（ステップＳ７０４）。次いで、反転センサ４４が記録紙の先端を検知すると（ステップＳ７０５）、搬送速度を低下させて搬送し（ステップＳ７０６）、前記上流センサのオン−オフタイミングと同じタイミングになると（ステップＳ７０７）、スイッチバックを開始し（ステップＳ７０８）、再給紙経路４５へ記録紙を搬送する(ステップＳ７０９)。
【手続補正９】
【補正対象書類名】明細書
【補正対象項目名】００４２
【補正方法】変更
【補正の内容】
【００４２】
（２）ユーザから指定された搬送速度に低下させる方法
記録紙の先端を検知してから、ユーザから指定された搬送速度に低下して搬送する場合は、ユーザによって予め図１の操作パネル１５によって入力された搬送速度がエンジン２０のＲＡＭ２３に保存されており、図７のステップＳ６０６、図８のステップＳ７０６の搬送速度低下処理で、記録紙はこのＲＡＭ２３に保存されている搬送速度まで減速して搬送される。
【手続補正１０】
【補正対象書類名】明細書
【補正対象項目名】００４３
【補正方法】変更
【補正の内容】
【００４３】
例えば、図７において、記録紙の長さが２９７ｍｍと通知されており、エンジン２０のＲＡＭ２３に保存されている低下後の搬送速度が１５０ｍｍ／ｓｅｃの場合は、記録紙の先端を検知してから、２９７／１５０＝１．９８秒後にスイッチバックを開始する。
【手続補正１１】
【補正対象書類名】明細書
【補正対象項目名】００４４
【補正方法】変更
【補正の内容】
【００４４】
図８においても同様であり、例えば通常の搬送速度が２００ｍｍ／ｓｅｃで、上流のセンサのオン−オフ時間が１．５秒であり、ＲＡＭ２３に保存されている低下後の搬送速度が１５０ｍｍ／ｓｅｃの場合は、記録紙の先端を検知してから、１．５ｘ２００／１５０＝２．０秒後にスイッチバックを開始する。
【手続補正１２】
【補正対象書類名】明細書
【補正対象項目名】００４７
【補正方法】変更
【補正の内容】
【００４７】
【図１】本発明に係る画像形成装置の一実施の形態における電気的な構成の概略を示すブロック図である。
【図２】図１の画像形成装置における記録紙を搬送する経路の概略を示す構成図である。
【図３】記録紙がスイッチバック部から再給紙経路へ搬送されるまでのスイッチバック処理を示すフローチャートである。
【図４】裏面に予め模様が印字されている記録紙を使用する場合におけるスイッチバックの処理を示すフローチャートである。
【図５】通知された記録紙の長さに基づいてスイッチバックを実施するための処理を説明するフローチャートである。
【図６】上流にあるセンサのオン−オフ期間に基づいてスイッチバックのタイミングを決定する場合の処理を説明するフローチャートである。
【図７】記録紙の先端を検知してから一定の速度低下をさせて搬送する場合の処理を説明するフローチャートである。
【図８】記録紙の先端を検知してから一定の速度低下をさせて搬送する場合の別の処理を説明するフローチャートである。
【手続補正１３】
【補正対象書類名】図面
【補正対象項目名】図４
【補正方法】変更
【補正の内容】
【図４】
2008069001.tif 000001
【手続補正１４】
【補正対象書類名】図面
【補正対象項目名】図５
【補正方法】変更
【補正の内容】
【図５】
2008069001.tif 000002
【手続補正１５】
【補正対象書類名】図面
【補正対象項目名】図６
【補正方法】変更
【補正の内容】
【図６】
2008069001.tif 000003
【手続補正１６】
【補正対象書類名】図面
【補正対象項目名】図７
【補正方法】変更
【補正の内容】
【図７】
2008069001.tif 000004
【手続補正１７】
【補正対象書類名】図面
【補正対象項目名】図８
【補正方法】変更
【補正の内容】
【図８】
2008069001.tif 000005
【手続補正１８】
【補正対象書類名】図面
【補正対象項目名】図９
【補正方法】削除
【補正の内容】